(57)【要約】  積荷を固定するための積荷固定装置（２、２’）であって、この装置（２、２’）は、第１及び第２の端部を有するフレキシブルで長い装着手段と、その上に前記装着手段の第１の端部が結び付けられて巻き付け可能である周方向に回転可能な収納スプール（６）と、その締め付けのために前記装着手段に接続されたロック可能で且つ解放可能な締め付け装置と、前記収納スプール（６）及び締め付け装置を支持するための共通支持構造（１０、１０’）と、を備えており、前記支持構造（１０、１０’）に、外部アンカー対象物に固定されるべき少なくとも一つの結合装置が設けられている。本発明の特有の特徴は、前記収納スプール（６）及び前記締め付け装置がお互いに別個に配置され、前記締め付け装置が、前記締め付け装置を介した前記装着手段の自由な通過のために適合され、前記装着手段の前記第２の自由な端部が、前記収納スプール（６）から前記締め付け装置を通って導かれていることである。
2010504884.tif 000002
【特許請求の範囲】
【請求項１】
積荷を固定するための積荷固定装置（２、２’）であって、
第１及び第２の端部を有するフレキシブルで長い装着手段と、
前記装着手段の第１の端部が留められ、巻き付け可能である、周方向に回転可能な収納スプール（６）と、
締め付けのために前記装着手段に接続されたロック可能で且つ解放可能な締め付け装置と、
前記収納スプール（６）及び締め付け装置を支持するための共通支持構造（１０、１０’）と、
を備えており、前記支持構造（１０、１０’）に、外部アンカー対象物に固定されるべき少なくとも一つの結合装置が設けられており、
前記収納スプール（６）及び前記締め付け装置がお互いに別個に配置され、
前記締め付け装置が、前記装着手段が当該締め付け装置を自由に通過するために適合され、
前記装着手段の前記第２の自由な端部が、前記収納スプール（６）から前記締め付け装置を介して導通されていることを特徴とする、積荷固定装置。
【請求項２】
前記フレキシブルな装着手段が、以下のタイプの装着手段、すなわちストラップ（４）、ロープ、ベルト、ワイヤ、ライン、及びチェーンのうちの一つから構成されていることを特徴とする、請求項１に記載の積荷固定装置（２、２’）。
【請求項３】
前記装着手段の表面が摩擦促進構成であることを特徴とする、請求項１又は２に記載の積荷固定装置（２、２’）。
【請求項４】
前記装着手段の前記第２の端部に結合装置が設けられていることを特徴とする、請求項１、２、又は３に記載の積荷固定装置（２、２’）。
【請求項５】
前記収納スプール（６）が、繰り出された後の前記装着手段の自動巻取りのために適合されていることを特徴とする、請求項１〜４のいずれか一つに記載の積荷固定装置（２、２’）。
【請求項６】
前記収納スプール（６）が、前記収納スプール（６）と前記支持構造（１０、１０’）との間に配置された少なくとも一つの付勢されたコイルばね（５４）による自動巻取りのために適合されていることを特徴とする、請求項５に記載の積荷固定装置（２、２’）。
【請求項７】
前記収納スプール（６）が交換可能な配置であることを特徴とする、請求項１〜６のいずれか一つに記載の積荷固定装置（２、２’）。
【請求項８】
前記締め付け装置が、前記支持構造（１０、１０’）における周方向に回転可能な手段に支持されたロック可能で且つ解放可能な締め付けスプール（２０）から構成されており、
前記締め付けスプール（２０）に、前記装着手段が導通される横方向の貫通開口（２２）が設けられており、
それによって、その締め付け方向における前記締め付けスプール（２０）の周方向回転が前記締め付けスプール（２０)の上に前記装着手段を巻き、それによって、ピンと張った位置でのそのロックのために、それを短くしたり締め付けたりすることを特徴とする、請求項１〜７のいずれか一つに記載の積荷固定装置（２、２’）。
【請求項９】
ロック可能で且つ解放可能なラチェット機構（２４、２４’）が、前記締め付けスプール（２０）の周方向の回転のために及びラチェットホイールの調整のために、前記締め付けスプール（２０）と前記支持構造（１０、１０’）との間に配置されており、前記ラチェット機構（２４、２４’）が、
周方向の受けレバー（２８、２８’）を有する少なくとも一つのラチェットホイール（２６、２６’）と、
前記受けレバー（２８、２８’）とのロック係合のために適合された少なくとも一つの可動ロックつめ（４８、５８）と、
を含んでおり、その限りにおいて、ロックつめ（４８、５８）の動きが、それを前記受けレバー（２８、２８’）との係合状態にもたらすか又はそれから外し、
前記ラチェットホイール（２６、２６’）が周方向に共回転可能な方法で前記締め付けスプール（２０）に接続されており、
前記可動ロックつめ（４８、５８）が前記支持構造（１０、１０’）に固定されて接続されていることを特徴とする、請求項８に記載の積荷固定装置（２、２’）。
【請求項１０】
前記ラチェット機構（２４、２４’）が、前記ラチェットホイール（２６、２６’）から外向きに延在して且つそこにトルクを供給するために前記ラチェットホイール（２６、２６’）の周囲を回転可能なアーム（３０）をさらに含んでおり、
前記アーム（３０）にまた、前記ラチェットホイール（２６、２６’）の締め付け回転の間に前記受けレバー（２８、２８’）との係合のために適合された少なくとも一つのロック可能、解放可能且つ可動の締め付けつめが設けられていて、その限りにおいて、前記締め付けつめ（３４）の動きが、それを前記受けレバー（２８、２８’）との係合状態にもたらすか又はそれから外すことを特徴とする、請求項９に記載の積荷固定装置（２、２’）。
【請求項１１】
前記締め付けスプール（２０）が、トルクを前記ラチェットホイール（２６、２６’）に供給するために、少なくとも一つの歯付きピニオン（６４）に、周方向に共回転可能な方法で接続されており、
前記歯付きピニオン（６４）が、ギア比を介して歯付き駆動ホイール（６６）に接続されており、
前記歯付き駆動ホイール（６６）が前記支持構造（１０、１０’）に接続されており、
前記歯付き駆動ホイール（６６）が、その周方向の回転のために駆動装置に接続されていることを特徴とする、請求項９に記載の積荷固定装置（２、２’）。
【請求項１２】
前記駆動装置が、周方向に回転可能な補助スプール（６８）を備えており、その上に、フレキシブルで長い締め付け手段（７０）が、前記歯付き駆動ホイール（６６）の引き出し及び周方向の回転のために巻かれることを特徴とする、請求項１１に記載の積荷固定装置（２、２’）。
【請求項１３】
前記補助スプール（６８）が、繰り出された後の前記締め付け手段（７０）の自動巻取りのために適合されていることを特徴とする、請求項１２に記載の積荷固定装置（２、２’）。
【請求項１４】
前記駆動装置が電気モータから構成されていることを特徴とする、請求項１１に記載の積荷固定装置（２、２’）。
【請求項１５】
前記電気モータがバッテリ駆動であることを特徴とする、請求項１４に記載の積荷固定装置（２、２’）。
【請求項１６】
前記支持構造（１０、１０’）に、前記装着手段のための少なくとも一つのクリーニング装置が設けられていることを特徴とする、請求項１〜１５のいずれか一つに記載の積荷固定装置（２、２’）。
【請求項１７】
前記クリーニング装置が、
前記収納スプール(６)と前記締め付け装置との間、
前記締め付け装置の内部、及び、
前記締め付け装置と前記装着手段の第２の自由な端部との間、
のうちの少なくとも一つに配置されていることを特徴とする、請求項１６に記載の積荷固定装置（２、２’）。
【請求項１８】
前記クリーニング装置が、以下のタイプのクリーニング装置、すなわち、ブラシ装置、引っかき装置、ほこり引き付け材料、及びほこり除去のためのクレンジング剤のうちの少なくとも一つから構成されていることを特徴とする、請求項１６又は１７に記載の積荷固定装置（２、２’）。
【請求項１９】
前記支持構造を外部アンカー物体に固定するための前記結合装置が、以下のタイプの装着手段、すなわちストラップ（１６）、ロープ、ライン、及びチェーンの一つから選択された、少なくとも一つのさらなるフレキシブルな長い装着手段から構成されていることを特徴とする、請求項１〜１８のいずれか一つに記載の積荷固定装置（２、２’）。
【請求項２０】
前記積荷固定装置（２、２’）が携帯装置として構成されていることを特徴とする、請求項１〜１９のいずれか一つに記載の積荷固定装置（２、２’）。
【発明の詳細な説明】
【技術分野】
【０００１】
本発明は、例えば、運搬手段、例えば車、トラック、鉄道、船、又は飛行機によって運搬されるべき積荷を固定するための積荷固定装置に関する。好ましくは、ただし必須ではないが、この積荷固定装置は、携帯可能な装置として製造される。
【背景技術】
【０００２】
本発明の原点は、本分野における従来技術の妨げになっている多くの不利益である。従来技術の積荷固定装置及び積荷固定方法は、しばしば扱い難く、及び／又は使用に多くの時間がかかる。この積荷固定装置は大きく、大規模で、しばしば取扱が困難で且つ／又は時間がかかることがある。しかし、小さく且つ単純な積荷固定装置は、取扱は早いかもしれないが、それらはしばしば使用にあたって、むしろフレキシブルではないことがわかる。これより、本分野における従来技術は、しばしばユーザフレンドリの観点で劣っている。
【０００３】
積荷を固定する目的で長いストラップ又は類似のものがしばしば使用され、固定対象の積荷に対して、且つあるいはその周囲に、締め付けるように結び付けられる。保管場所では、そのような長い取り付けストラップはしばしば輸送手段の上に輪になって置かれるか、又は懸架される。それによって、取り付けストラップ及び潜在的なその他の器具は、担当者及びこれに関連して使用される様々なその他の器具の通り道に入り込み、これが事故及び犠牲者を引き起こし得て、これより安全上のリスクとなる。さらに、そのような保護されていない積荷固定器具はしばしば、様々な粒子、ほこり、液体、氷、雪などで汚れるが、これは望ましくなく、あるいは、さらなる安全上のリスクを示し得る。
【０００４】
本技術領域における従来技術の例として、下記の特許文献が参照される。
【０００５】
これらの文献は、運搬手段の上に積荷を取り付け且つ固定する積荷固定装置に関する。これらの積荷固定装置はすべて収納スプールを備えており、これにロープ、ベルト、ワイヤ、又は類似のものの一端が巻き取られ、且つそこから繰り出され得る。積荷固定装置はまた、前記ロープ、ベルト、ワイヤ、又は類似のものを締め付けて、問題の積荷に対して且つあるいはその周囲に、締め付けて結び付ける締め付け（tightening）装置を備える。
【０００６】
米国特許第2,449,600号、米国特許第5,282,706号、及び米国特許第6,059,499号において、締め付け装置はロック可能且つ解放可能なラチェット機構からなり、これは周方向の受けレバーと前記受けレバーと係合するための協働する可動つめとを有するラチェットホイールを備えている。
【０００７】
しかし、米国特許第4,842,458号では、締め付け装置は弾性装置からなり、これは、繰り出されている間および積荷の固定の間にロープ又はベルトをピンと張った状態に維持し、且つ使用後にはロープ又はベルトの自動巻取りを実行するための付勢されたコイルバネを備えている。
【先行技術文献】
【特許文献】
【０００８】
【特許文献１】米国特許第2,449,600号明細書
【特許文献２】米国特許第4,842,458号明細書
【特許文献３】米国特許第5,282,706号明細書
【特許文献４】米国特許第6,059,499号明細書
【発明の概要】
【発明が解決しようとする課題】
【０００９】
これらの積荷固定装置の全てに共通の点は、収納スプールがロータリーシャフトの周囲に取り付けられ、ロータリーシャフトが締め付け装置にも接続されていることである。これによって、収納スプール、ロータリーシャフト、及び締め付け装置は、一体的な動作ユニットを形成するようにお互いに直接接続されている。これより、本発明の積荷固定装置とは逆に、動作ユニットの構成要素はお互いに別個に配置されていない。これは、他のものの中で、このユニットが、特に前記ロープ、ベルト又は類似のものが重負荷用途のためのサイズを有しているか、及び／又は大きな長さを有しているならば、比較的大きくなり且つかさばり得るという不利益をもたらす。
【００１０】
最後に言及した事情はまた、前記スプールが締め付けスプールとしてのみ使用される原因となり得て、そのときには、前記ロープ／ベルトの比較的短い長さのみが、一般的に前述のタイプのラチェット機構によって、その締め付けのためにスプールに巻き取られる。しかし、ロープ／ベルトの残りの長さは動作ユニットの外側に輪になって置かれたままになるか、あるいは懸架されて、これより、前述の安全上のリスク及び汚される可能性をもたらす。
【００１１】
従来技術の積荷固定装置に関連するその他の問題は、前記ロープ／ベルト／などがその繰り出し又は巻き取りの間に簡単に絡むという事実をもたらす。さらに、これらの装置の内部での前記ロープ／ベルト／などの不正確なロックがしばしば生じる。
【００１２】
本発明の目的は、本領域における従来技術の不利益を軽減又は避けることである。
【００１３】
この目的は、以下の記述ならびに引き続く請求項に開示された特徴に従って達成される。
【課題を解決するための手段】
【００１４】
本発明によれば、積荷を固定するための積荷固定装置が提供され、本装置は、
第１及び第２の端部を有するフレキシブルで長い装着手段と、
前記装着手段の第１の端部が留められ、巻き付け可能である、周方向に回転可能な収納スプールと、
その締め付けのために前記装着手段に接続されたロック可能で且つ解放可能な締め付け装置と、
前記収納スプール及び締め付け装置を支持するための共通支持構造と、
を備えており、前記支持構造に、外部アンカー対象物に固定されるべき少なくとも一つの結合装置が設けられている、という構造的な特徴を備えている。この積荷固定装置の特有の特徴は、前記収納スプール及び前記締め付け装置がお互いに別個に配置されていることであり、
前記締め付け装置は、前記装着手段が前記締め付け装置を自由に通過するために適合されており、
前記装着手段の前記第２の自由な端部が、前記収納スプールから前記締め付け装置を通って導かれている。
【００１５】
必須で求められるわけではないが、前記フレキシブルな装着手段が、以下のタイプの装着手段、すなわちストラップ、ロープ、ベルト、ワイヤ、ライン、及びチェーンのうちの一つから構成され得る。
【００１６】
例えば、前記支持構造は、フレーム、プロファイル、又はハウジングを備え得て、その内側又はその上に、前記収納スプール、前記締め付け装置、及び前記装着手段が配置されている。これより、前記支持構造は、前記装着手段の繰り出し及び巻き取りのためのディスペンサー装置として構成され得る。有益なことには、前記支持構造はまた、前記繰り出し及び巻き取りの適切なガイドのために、様々なガイドプーリ、ガイド羽根、又は類似のものを備え得る。
【００１７】
前記装着手段が一つ又はいくつかの比較的滑らかな材料を備えているならば、前記装着手段の表面は、摩擦促進構成であれば有益である。それによって、前記装着手段は、例えば、粗い表面を有するか、又は表面に対する圧力で摩擦を促進するパターン、突出部、又は類似のものを設けられ得る。これは、動作的な積荷固定位置でピンと張られた状態のままであるときに、装着手段の緩みすべりを打ち消す。
【００１８】
有益なことには、前記装着手段の前記第２の自由端部に、例えば運搬手段の上の外部取り付け突起との係合のために適合された結合装置、例えばフック、留め金、又は類似のものが設けられ得る。しかし、装着手段には、必ずしもそのような結合手段が設けられなければならないわけではなく、他の方法で、例えば装着手段の自由端部を適当な外部アンカー対象物に固定することによって、固定され得る。
【００１９】
さらにまた、前記収納スプールは、繰り出された後の前記装着手段の自動巻取りのために適合され得る。これより、前記収納スプールは、前記収納スプールと前記支持構造との間に配置された少なくとも一つの付勢されたコイルばねによる自動巻取りのために適合され得る。
【００２０】
あるいは、前記収納スプールは、スプールの周方向の回転及び関連した装着手段の巻き取りのための手動動作の又はエンジン駆動のクランク、ハンドル、又は類似のものに接続され得る。
【００２１】
前記収納スプールは、交換可能な配置であり得る。これによって、スプール上の磨耗した、汚れた、及び／又は損傷を受けた装着手段は、新しいそのような装着手段が巻かれた他のスプールと、交換され得る。これより、収納スプールはまた、他のタイプ及び／又は長さの装着手段が巻かれた他のスプールと交換され得る。このつながりで、収納スプールは、例えば、支持構造に解放可能に支持され、これよりそこから容易に取り外し可能な回転シャフトに接続され得る。
【００２２】
積荷固定装置の好適な実施形態では、前記締め付け装置が、前記支持構造における周方向に回転可能な手段に支持されたロック可能で且つ解放可能な締め付けスプールから構成されており、前記締め付けスプールに、前記装着手段が通される横方向に延びる貫通開口が設けられている。締め付け方向における前記締め付けスプールの周方向回転が前記締め付けスプールに前記装着手段を巻きつけ、それによって、ピンと張った動作的な積荷固定位置でのそのロックのために、装着手段を短くしたり締め付けたりする。
【００２３】
前記締め付けスプールがロックされ且つ解放されることを許容するために、及びラチェットホイールの調整のために、積荷固定装置には、有益なことに、前記締め付けスプールの周方向の回転のために前記締め付けスプールと前記支持構造との間に配置されたロック可能で且つ解放可能なラチェット機構が設けられ得て、前記ラチェット機構は、
周方向の受けレバーを有する少なくとも一つのラチェットホイールと、
前記受けレバーとのロック係合のために適合された少なくとも一つの可動ロックつめと、
を含んでおり、ロックつめの動きが、それを前記受けレバーと係合させるか又はそれから外し、
前記ラチェット機構が、周方向に共回転可能な方法で前記締め付けスプールに接続されており、
前記可動ロックつめが前記支持構造に固定的に接続されている。
【００２４】
積荷固定装置にそのようなラチェット機構が設けられているある実施形態では、前記ラチェット機構はまた、前記ラチェットホイールから外向きに延びて且つそこにトルクを供給するために前記ラチェットホイールの周囲を回転可能なアームを含み得て、
前記アームにはまた、前記ラチェットホイールの締め付け回転の間に前記受けレバーとの係合のために適合された少なくとも一つのロック可能、解放可能で且つ可動の締め付けつめが、この締め付けつめの動きが、それを前記受けレバーとの係合状態にもたらすか又はそれから外す範囲において、ロック可能、解放可能、且つ可動に設けられている。そのようなアームは、ハンドル、弓形、クランク、又は類似の形態を有し得る。
【００２５】
積荷固定装置にそのようなラチェット機構が設けられている第２の実施形態では、前記締め付けスプールは、トルクを前記ラチェットホイールに供給するために、少なくとも一つの歯付きピニオンに、周方向に共に回転可能な方法で接続され得て、
前記歯付きピニオンが、ギア比を介して歯付き駆動ホイールに接続されており、
前記歯付き駆動ホイールが前記支持構造に接続されており、
前記歯付き駆動ホイールが、その周方向の回転のために駆動装置に接続されている。
【００２６】
ある変形例では、この駆動装置は、周方向に回転可能な補助スプールを備え得て、その上に、フレキシブルで長い締め付け手段が、前記歯付き駆動ホイールの引き出し及び周方向の回転のために巻かれる。例えば、前記締め付け手段は、好ましくはコード、ロープ、又は類似のものから構成され得て、これは好ましくは、前記締め付けトルクをラチェットホイールに供給するために、手作業で繰り出される。好ましくは、前記補助スプールは、引き出された後の前記締め付け手段の自動巻取りのために適合されている。
【００２７】
他の変形例では、前記駆動装置が電気モータ、好ましくはバッテリ駆動の電気モータから構成されている。
【００２８】
前記積荷固定装置の締め付け手段はまた、フレキシブルで長い装着手段を締め付けるために、締め付けスプールの使用に基づかない他のタイプのロック可能で且つ解放可能な締め付け装置から構成され得る。締め付け装置をロックし且つ解放することを可能にするために、この装置はこれより、装置を介した装着手段の自由な通過のために適合されたロック可能で解放可能なクランプ装置、プレス装置、チョーク装置、収縮装置、又は類似のものを備え得て、装着手段を、その動作位置にあるときに、積荷固定装置にクランプされた状態に維持する。これは、例えば装着手段を、例えばばねで付勢されたクランプ、くさび、つめ、又は類似のものからなり得るそのような装置を通って又はそれに対して導通させることによって、実行され得る。装着手段をそのような締め付け装置によって締め付けるために、これはまた、適切な締め付け手段を備えていなければならない。この締め付け手段は、前記クランプ装置又は類似のものに固定され得て、また、積荷固定装置の支持構造に対して可動に構成され得る。長い装着手段に対してクランプされているときに適切な方向にクランプ装置を動かすために締め付け手段を使用することによって、装着手段は短縮され得て、これによって締め付けられ得る。例えば、締め付け手段は、油圧又は機械的に動作されるシリンダ、つめ、又は類似のものから構成され得て、これが、動作すると、装着手段を締め付ける動きを提供する。
【００２９】
好ましくは、積荷固定装置の支持構造にはまた、前記装着手段のための少なくとも一つのクリーニング装置が設けられている。それより、前記クリーニング装置は、前記収納スプールと前記締め付け装置との間、前記締め付け装置の内部、前記締め付け装置と前記装着手段の第２の自由な端部との間、のうちの少なくとも一つに配置され得る。
【００３０】
例えば、前記クリーニング装置は、以下のタイプのクリーニング装置、すなわち、ブラシ装置、引っかき装置、ほこり引き付け材料、及びほこり除去のためのクレンジング剤のうちの少なくとも一つから構成され得る。
【００３１】
さらに、前記積荷固定装置の前記支持構造を外部アンカー対象物に固定するための前記結合装置は、以下のタイプの装着手段、すなわちストラップ、ロープ、ライン、及びチェーンの一つから選択された、少なくとも一つのさらなるフレキシブルな長い装着手段から構成され得る。
【００３２】
この結合装置はまた、現在のタイプの少なくとも一つのさらなる積荷固定装置から構成され得て、これは、このタイプの第１の積荷固定装置と相互接続されるが、第１の積荷固定装置の繰り出し方向とは異なる繰り出し方向を有する。それによって、２つ又はいくつかのそのような積荷固定装置は、そのアセンブリとして、例えば二重積荷固定装置、又はスパイダに似た積荷固定クロス又は類似の構成の形状をしたマルチ積荷固定装置として配置され得て、例えばストラップを、いくつかの方向に供給しかつ巻き取ることができる。
【００３３】
代替として、前記結合装置は、一つ又はいくつかのアンカーボルト、ねじ、ねじ付き接続、クイック結合、回り継手ジョイント、回り継手リング、回り継手ボルトなどから構成され得る。そのような結び付け解決策は、望みにしたがって、例えばトラック、商品ワゴン、コンテナ、飛行機などのプラットフォーム本体又は壁の上に、現在のタイプの固定された積荷固定装置が設けられている運搬手段との接続において適切であると証明され得る。
【００３４】
しかし、この積荷固定装置は、有益には、携帯装置として構成され得る。好ましくは、そのような形態積荷固定装置は、手作業で容易に取り扱われるサイズ及び重量である。この装置にはまた、使用されていないときに装置が、例えば個人のベルトあるいは関連した壁又は装置に懸架されることを許容するクランプ、フック、クリップ、又は類似のものが設けられているべきである。
【００３５】
以下では、本積荷固定装置の２つの実施形態の例が示される。
【図面の簡単な説明】
【００３６】
【図１ａ】ストラップの繰り出しの間の積荷固定装置の一つの実施形態の底面図を示す図である。
【図１ｂ】図１ａに従った積荷固定装置の正面図を示す図である。
【図１ｃ】図１ａ及び図１ｂに従っているが、前記ストラップが繰り出されて荷物物体（図示されず）の周りに締め付けられた後の積荷固定装置の正面図を示す図である。
【図２】積荷固定装置の第２の実施形態の正面図を示す図であって、この図は、そのストラップが荷物物体（図示されず）の周りに締め付けられている積荷固定装置を通る長手断面を示す図である。
【発明を実施するための形態】
【００３７】
これらの図面は模式的であって、お互いに対する構成要素の相対的なサイズ及び配置に関して、いくらか歪んでいるかもしれない。以下では、図面における類似又は対応する詳細は、一般的に、同じ又は類似の参照番号が与えられる。
【００３８】
図１ａ〜１ｃ及び図２は、本積荷固定装置の２つの異なる実施形態の変形を示す。
【００３９】
図１ａ〜１ｃは、積荷を固定するための積荷固定装置２のある実施形態の変形を示す。この積荷固定装置２は、この場合には携帯可能な装置であり、以下の構成要素を備える。
−第１及び第２の端部（図示されず）を有するフレキシブルで長いストラップ４、
−ストラップ４の第１及び第２の端部が留められ、巻き付け可能な、周方向に回転可能な収納スプール６、
−ストラップ４に接続され、ストラップを締め付けるためのロック可能で解放可能な締め付け装置、及び、
−収納スプール６及び締め付け装置を支持するための共通の長いフレーム１０。
【００４０】
収納スプール６は、例えば付勢されたコイルばね（図２に関してさらに説明される）によって自動巻取りをするように適合され得る。あるいは、収納スプール６は、スプールの周方向の回転のための手作業で動作されるか又はエンジン駆動のクランク、ハンドル、又は類似のものに接続され得る。しかし、これは図１ａ〜１ｃには示されていない。
【００４１】
第１の端１２にて、フレーム１０には横方向のボルト１４が設けられており、その上にはさらなるストラップ１６が結合されていて、積荷固定装置２が外部アンカー物体（図示されてない）、例えばプラットフォーム本体又は類似のものの上の取り付け突起に固定されることを可能にする。前記締め付け装置は、フレーム１０の第２の反対側の端１８に配置されている。例えば、ストラップ４の前記第２の自由端部には、前記取り付け突起との係合のために適合されたフック、留め金、又は類似のものが設けられている。
【００４２】
積荷固定装置２の特有の特徴は、収納スプール６と締め付け装置がお互いに別個に配置されていることである。さらに、ストラップ４の第２の自由端部は、締め付け装置を介して収納スプール６から導かれていて、これは、締め付け装置を介した前記巻き付け可能なストラップ４の自由な通過のために適合されている。
【００４３】
積荷固定装置２のこの第１の実施形態によれば、締め付け装置は、他のものの中で、フレーム１０に周方向に回転可能な方法で支持され、そこから外側にいくらか延在しているロック可能及び解放可能な締め付けスプール２０から構成されている。一般的に、締め付けスプール２０は、２つのシャフト要素２０’及び２０”から形成された横方向シャフトを含む。シャフト要素２０’及び２０”は平行ではあるが、お互いに径方向に離れて配置されている。これらは、それらの外向きに延在している端部の各々を通って挿入されている込み栓（コッター・ピン）２１によって、この配置に一緒に保持されている。シャフトの中心線は、図１ａに一点鎖線で示されており、そのような一点鎖線はまた、収納スプール６についての対応するシャフト（図示されず）に対しても示されている。
【００４４】
シャフト要素２０’及び２０”がお互いに径方向に離れて配置されているために、それらは貫通開口２２を形成しており、そこを通って、図１ｂに最もよく示されているように、ストラップ４が導かれている。図１ｂはまた、本積荷固定装置２をその繰り出し位置で示しており、そこでは、ストラップ４は、ストラップ４を送り出すために詰め付けスプールより繰り出され、あるいは巻き取るために締め付けスプールに巻かれ得る。繰り出し位置では、締め付けスプール２０は、ストラップ４が締め付けスプール２０の前記貫通開口２２を通って自由に、好ましくは開口２２と平行に又は平行に近く、動くことを可能にするように回転される。
【００４５】
この締め付け方向における締め付けスプール２０の周方向の回転は、これより、締め付けスプール２０にストラップ４を巻き、それによって、図１ｃに示されているように、ピンと張った位置でそれをロックするためにそれを短縮し且つ締め付ける。この図はまた、締め付け方向を、締め付けスプール２０の周りに周方向の矢印で示している。締め付けの間、ストラップ４は、その貫通開口２２の両側から、スプール２０の一回転又はそれ以上の回転に応じてオーバーラップしているストラップの巻き付けられたものがサンドイッチを形成するように、締め付けスプール２０の上に巻かれる。
【００４６】
締め付け装置がロック可能で且つ解放可能であるために、及びまたラチェットホイールの調整のために、ロック可能で且つ解放可能なラチェット機構２４は、締め付けスプール２０の周方向の回転のために、締め付けスプール２０とフレーム１０との間に配置される。ラチェット機構２４は、他のものの中で、２つのラチェットホイール２６、２６’を含み、その各々にはそれ自身の受けレバー２８及び２８’が設けられており、ホイール２６、２６’の各々は、締め付けスプール２０のそれ自身の軸方向の端に配置されている。ラチェットホイール２６、２６’は締め付けスプール２０に、周方向に共回転可能な方法で接続されている。
【００４７】
ストラップ４を締め付けスプール２０の周りに巻き且つ締め付けながら、トルクがラチェットホイール２６、２６’に供給されることを可能にするために、ラチェット機構２４はまたＵ字型アーム３０を含み、これは、締め付けスプール２０及びラチェットホイール２６、２６’から外に延在して且つその周囲に回転可能な横方向のハンドグリップ３２を有している。アーム３０にはまた、ロック可能、解放可能で且つ可動の締め付けつめ３４が設けられており、これは、アーム３０に固定的ではあるが可動的に接続されている。この実施形態の例では、締め付けつめ３４はＵ字型プレート３６の形態であり、これは、その形状のために、ラチェットホイール２６、２６’上の前記受けレバー２８、２８’とロックして係合するように適合された２つのプレート要素３８、３８’を含む。プレート３６は、ばね４０によってラチェットホイール２６、２６’に対して付勢されており、その一端は点４２にてアーム３０に取り付けられ、他端はプレート３６の横方向スリット４４に配置されている。そのプレート要素３８、３８’が、アーム３０におけるそれ自身の半径方向に延在しているスリット４６及び４６’の中で各々可動に配置され、一つのスリットがその各長辺に沿っている限りにおいては、締め付けつめ３４は、受けレバー２８、２８’に対して半径方向に可動に配置される。それによって、締め付けつめ３４は、締め付けつめ３４を受けレバー２８、２８’と係合させるか、又は係合から外すように、スリット４６、４６’の内部で前後に動き得て、それによってラチェット機構２４をロック又は解放する。締め付けつめ３４が受けレバー２８、２８’と係合していると、アーム３０は、ラチェットホイール２６、２６’及び締め付けスプール２０にストラップ締め付けトルクを供給するように、往復運動をして向きを変え得る。ラチェット機構２４は、締め付けつめ３４を押して受けレバー２８、２８’との係合から外すことによって解放される。
【００４８】
ストラップ４の巻き付け及び締め付けのために締め付けスプールが回転されるとき、これが緩むことを防ぐために、ラチェット機構２４はまた、可動で且つばね付勢されたロックつめ４８も含み、これは、その形状及び機能に関して締め付けつめ３４と同一である。ロックつめ４８は、締め付けスプール２０の締め付け回転の間に前記受けレバー２８、２８’と係合するように適合されている。さらに、ロックつめ４８は、フレーム１０の半径方向に延びているスリット５０を介して、固定的ではあるが可動的にフレーム１０に接続されており、一つのスリットはその各長辺にある。
【００４９】
このラチェット機構２４は、良く知られたラチェット構造を構成する。
【００５０】
図２は、積荷を固定するための積荷固定装置２’の第２の実施形態の変形である。この図は、装置２’を通して長手断面を示しており、ここでは、装置２’の内部の本質的な構成要素の描写を容易にするために、手前部分が取り除かれている。
【００５１】
先の実施形態の例におけるように、積荷固定装置２’は長く、
−第１及び第２の端１２、１８を有する改変されたフレーム１０’と、
−ストラップ４が巻かれる収納スプール６と、
−貫通開口２２を有する締め付けスプール２０と、前記締め付けスプール２０の周りにストラップ４を締め付けるための改変されたラチェット機構２４’とを備える締め付け装置と、
−外部アンカー対象物（図示されず）へのその固定のためにフレームの端１２において横方向ボルト１４に結び付けられているさらなるストラップ１６と、
を備える。
【００５２】
また、この積荷固定装置２’は携帯可能な装置として構成されて、他のものの中で、使用されていないときに装置２’が、例えばある人のベルトに、又は関連する壁又は装置に掛けることを可能にするフック５２を備えている。さらに、収納スプール６は、フレーム１０’が結合及び分離されることができる２つのフレーム半体（図示されず）からなっているという事実によって、交換可能な構成になっている。これより、収納スプール６は、潜在的に、その上に他の長さ／タイプのストラップが巻かれる別のスプールと交換され得る。
【００５３】
この第２の実施形態の変形では、収納スプール６はまた、収納スプール６とフレーム１０’との間に配置された付勢されたコイルばね５４による自動巻取りのために適合されており、これは図２に模式的に示されている。コイルばね５４は、収納スプール６及びストラップ４の巻き取り方向に付勢されている。それによって、ばね５４は、ストラップ４を繰り出しながら逐次締め付ける。装置の締め付け装置から繰り出されると、ストラップ４はまた、２つの横方向ガイドプーリ５６、５６’の間を通される。
【００５４】
この改変されたラチェット機構２４’は、その他のものの中で、上述のようにラチェットホイール２６、２６’及び受けレバー２８、２８’を含み、また改変されたＵ字型アーム３０’を含む。改変されたアーム３０’には、半径方向に延在しているスリット４６が設けられており、その内部にて、ロックつめ５８（前記締め付けつめ３４とは逆に）は前後に動き得る。ロックつめ５８は、それ自体が既知のばね装置６０によってばね装填されており、この装置はロックつめ５８及びラチェットホイール２６、２６’に対して付勢されている。締め付けスプール２０の周りに回転可能であった先のアーム３０とは逆に、本アーム３０’は、少なくとも一つの固定点６２にてフレーム１０’に固定されている。したがって、この改変された３０’は締め付けスプール２０の周りを回転可能ではなく、締め付けスプール２０の上に巻かれて締め付けられながらストラップ４の緩みを防ぐことが意図されているのみである。
【００５５】
この第２の実施形態の例では、ラチェットホイール２６、２６’、及びこれより締め付けスプール２０には、歯付きピニオン６４によってストラップ締め付けトルクが供給され、これは締め付けスプール２０に周方向に共回転可能なように接続されている。さらにその上、歯付きピニオン６４は、適切なギア比を介して歯付き駆動ホイール６６（詳細には示されていない）に接続されている。歯付き駆動ホイール６６はフレーム１０’に接続されており、それはまた、歯付き駆動ホイール６６の周方向の回転のために駆動装置に接続されている。
【００５６】
この駆動装置は周方向に回転可能な補助スプール６８を備えており、これもまたフレーム１０’に接続されている。ばね７０はハンドグリップ７２に接続され、歯付き駆動ホイール６６の引き出し及び周方向の回転のために補助スプール６８の上に巻かれる。補助スプール６８に接続されて補助スプール６８及びばね７０の巻き取り方向に付勢されているコイルばね７４によって、補助スプール６８はまた、繰り出された後にひも７０の自動巻取りのためにも適合されている。
【図１ａ】
2010504884.tif 000003
【図１ｂ】
2010504884.tif 000004
【図１ｃ】
2010504884.tif 000005
【図２】
2010504884.tif 000006
【手続補正書】
【提出日】平成20年7月15日(2008.7.15)
【手続補正１】
【補正対象書類名】特許請求の範囲
【補正対象項目名】全文
【補正方法】変更
【補正の内容】
【特許請求の範囲】
【請求項１】
積荷固定装置（２）であって、
第１の端部及び第２の端部を有するフレキシブルで長い装着手段と、
前記装着手段の第１の端部が留められ、巻き付け可能である、周方向に回転可能な収納スプール（６）と、
横方向の貫通開口（２２）が設けられた周方向に回転可能でロック可能且つ解放可能な締め付けスプール（２０）と、
前記収納スプール（６）及び締め付けスプール（２０）を支持するための共通支持構造（１０）であって、前記支持構造（１０）に、外部アンカー対象物に固定されるべき少なくとも一つの結合装置が設けられている、共通支持構造（１０）と、
を備えており、
前記収納スプール（６）及び前記締め付けスプール（２０）がお互いに別個に配置されており、
前記装着手段の前記第２の自由な端部が、積荷の固定の間に前記装着手段の締め付けのために、及び繰り出される間に前記装着手段の自由な通過のために、前記締め付けスプール（２０）の前記貫通開口（２２）を通って前記収納スプール（６）から導かれて、
前記締め付けスプール（２０）が、前記締め付けスプール（２０）から外に延びて且つそれにトルクを供給するために前記締め付けスプール（２０）の周りに回転可能なアーム（３０）に接続されており、前記締め付けスプール（２０）の締め付け方向における前記アーム（３０）の周方向の回転が、前記装着手段を前記締め付けスプール（２０）に巻き付けるためのものであり、それによって、そのピンと張った位置においてそのロックのために前記装着手段を短縮して締め付け、
前記収納スプール（６）が前記アーム（３０）の外側の自由端に対して回転経路の内側に配置されており、それによって前記積荷固定装置（２）がコンパクトで空間節約的な形状を得て、且つまた、前記積荷固定装置（２）のサイズに対して大きなトルクを生成することができることを特徴とする、積荷固定装置。
【請求項２】
ロック可能で且つ解放可能なラチェット機構（２４）が、前記締め付けスプール（２０）の周方向の回転のために、及びまたラチェットホイールの調整のために、前記締め付けスプール（２０）と前記支持構造（１０）との間に配置されており、前記ラチェット機構（２４、２４’）が、
周方向の受けレバー（２８、２８’）を有する少なくとも一つのラチェットホイール（２６、２６’）であって、前記アーム（３０）が当該ラチェットホイール（２６、２６’）から外に延びて且つそれにトルクを供給するために前記ラチェットホイール（２６、２６’）の周りに回転可能である、ラチェットホイール（２６、２６’）と、
前記受けレバー（２８、２８’）とのロック係合のために適合された少なくとも一つの可動ロックつめ（４８）であって、ロックつめ（４８，５８）の動きが、ロックつめを受けレバー（２８，２８’）と係合状態とするか、または係合状態から外される、可動ロックつめと、
を含んでおり、
前記ラチェットホイール（２６、２６’）が周方向に共回転可能な方法で前記締め付けスプール（２０）に接続されており、
前記可動ロックつめ（４８、５８）が前記支持構造（１０）に固定的に接続されていることを特徴とする、請求項１に記載の積荷固定装置（２）。
【請求項３】
前記アーム（３０）に、前記ラチェットホイール（２６、２６’）の締め付け回転の間に前記受けレバー（２８、２８’）との係合のために適合された、少なくとも一つのロック可能で、解放可能で且つ可動の締め付けつめ（３４）が設けられており、前記締め付けつめ（３４）の動きが、それを前記受けレバー（２８、２８’）と係合させ又はそこから外すことを特徴とする、請求項２に記載の積荷固定装置（２）。
【請求項４】
前記フレキシブルな装着手段が、以下のタイプの装着手段、すなわちストラップ（４）、ロープ、ベルト、ワイヤ、ライン、及びチェーンのうちの一つから構成されていることを特徴とする、請求項１、２、又は３に記載の積荷固定装置（２）。
【請求項５】
前記装着手段の表面が摩擦促進構成であることを特徴とする、請求項１〜４のいずれか一つに記載の積荷固定装置（２）。
【請求項６】
前記装着手段の前記第２の端部に結合装置が設けられていることを特徴とする、請求項１〜５のいずれか一つに記載の積荷固定装置（２）。
【請求項７】
前記収納スプール（６）が、繰り出された後の前記装着手段の自動巻取りのために適合されていることを特徴とする、請求項１〜６のいずれか一つに記載の積荷固定装置（２）。
【請求項８】
前記収納スプール（６）が、前記収納スプール（６）と前記支持構造（１０）との間に配置された少なくとも一つの付勢されたコイルばね（５４）による自動巻取りのために適合されていることを特徴とする、請求項７に記載の積荷固定装置（２）。
【請求項９】
前記収納スプール（６）が交換可能な配置であることを特徴とする、請求項１〜８のいずれか一つに記載の積荷固定装置（２）。
【請求項１０】
前記支持構造を外部アンカー対象物に固定するための前記結合装置が、以下のタイプの装着手段、すなわちストラップ（１６）、ロープ、ライン、及びチェーンの一つから選択された、少なくとも一つのさらなるフレキシブルな長い装着手段から構成されていることを特徴とする、請求項１〜９のいずれか一つに記載の積荷固定装置（２）。
【請求項１１】
前記積荷固定装置（２）が携帯装置として構成されていることを特徴とする、請求項１〜１０のいずれか一つに記載の積荷固定装置（２）。
【国際調査報告】
2010504884.tif 000007
2010504884.tif 000008
2010504884.tif 000009
2010504884.tif 000010